(57)【要約】【課題】車両の不具合情報を部門間で早期に共有し、各部門でその不具合の対策案を早期に立案する。【解決手段】管理サーバ３は、車両の開発情報の流れを管理するためのプログラムを有する。このプログラムは、管理サーバ３に対して、電子帳票を、車両の不具合を発見した発見部門端末４を含む、その不具合に関係する関係部門の端末４間で回覧する回覧ルートを設定する回覧ルート設定処理と、発見部門端末４にて電子帳票に不具合情報が入力されて申請されたときに、その電子帳票を回覧ルートに従って回覧する回覧処理と、発見部門端末４にて電子帳票にその不具合情報が入力されて申請されたときに、電子帳票の回覧状態に拘わらず、各関係部門端末４にて、その電子帳票を閲覧可能としかつその電子帳票にその不具合の対策案に関係する関係情報を入力可能とする帳票閲覧入力可能処理とを実行させる。【選択図】図２
2008152375.tif 000002
【特許請求の範囲】
【請求項１】
車両の開発情報の流れをコンピュータで管理する車両用開発情報管理システムであって、
電子帳票を、上記車両の不具合を発見した発見部門を含む、該不具合に関係する関係部門の間で回覧する回覧ルートを設定する回覧ルート設定手段と、
上記発見部門にて上記電子帳票に上記不具合情報が入力されて申請されたときに、該電子帳票を上記回覧ルートに従って回覧する回覧手段と、
上記発見部門にて上記電子帳票に上記不具合情報が入力されて申請されたときに、上記回覧状態に拘わらず、上記各関係部門にて、上記電子帳票を閲覧可能としかつ該電子帳票に上記不具合の対策案に関係する関係情報を入力可能とする帳票閲覧入力可能手段とを備えたことを特徴とする車両用開発情報管理システム。
【請求項２】
請求項１記載の車両用開発情報管理システムにおいて、
上記回覧手段は、上記回覧ルートに従って上記関係部門へと回覧されてきた電子帳票が該関係部門にて承認されたときに、上記電子帳票を次の関係部門へと回覧するように構成され、
上記帳票閲覧入力可能手段は、上記電子帳票が上記関係部門にて承認された後は、該関係部門にて上記電子帳票に上記関係情報を入力不可能とするように構成されていることを特徴とする車両用開発情報管理システム。
【請求項３】
請求項２記載の車両用開発情報管理システムにおいて、
上記不具合情報に基づき、上記関係部門の承認者の数を変更する承認者数変更手段をさらに備えたことを特徴とする車両用開発情報管理システム。
【請求項４】
請求項１〜３のいずれか１つに記載の車両用開発情報管理システムにおいて、
上記回覧ルート設定手段は、予め設定された複数のルートパターンのうち上記発見部門にて選択されたものを上記回覧ルートとして設定するように構成されていることを特徴とする車両用開発情報管理システム。
【請求項５】
請求項４記載の車両用開発情報管理システムにおいて、
上記複数のルートパターンは、上記電子帳票を、上記関係部門としての、上記発見部門と、上記不具合情報を確認する責任部門と、上記不具合の対策案を立てる対策部門と、該対策案を確認する、上記発見部門及び上記責任部門からなる確認部門の間でその順に回覧するルートパターンを含むことを特徴とする車両用開発情報管理システム。
【請求項６】
請求項４又は５記載の車両用開発情報管理システムにおいて、
上記複数のルートパターンは、上記電子帳票を、上記関係部門としての、上記発見部門と、上記不具合の対策案を立てる、上記発見部門からなる対策部門と、該対策案を確認する、上記発見部門からなる確認部門の間でその順に回覧するルートパターンを含むことを特徴とする車両用開発情報管理システム。
【請求項７】
請求項１〜３のいずれか１つに記載の車両用開発情報管理システムにおいて、
上記回覧ルート設定手段は、上記不具合情報に基づき、上記回覧ルートを設定するように構成されていることを特徴とする車両用開発情報管理システム。
【請求項８】
車両の開発情報の流れを管理するコンピュータを制御するための車両用開発情報管理プログラムであって、
上記コンピュータに対して、
電子帳票を、上記車両の不具合を発見した発見部門を含む、該不具合に関係する関係部門の間で回覧する回覧ルートを設定する回覧ルート設定処理と、
上記発見部門にて上記電子帳票に上記不具合情報が入力されて申請されたときに、該電子帳票を上記回覧ルートに従って回覧する回覧処理と、
上記発見部門にて上記電子帳票に上記不具合情報が入力されて申請されたときに、上記回覧状態に拘わらず、上記各関係部門にて、上記電子帳票を閲覧可能としかつ該電子帳票に上記不具合の対策案に関係する関係情報を入力可能とする帳票閲覧入力可能処理とを実行させることを特徴とする車両用開発情報管理プログラム。
【請求項９】
車両の開発情報の流れをコンピュータで管理する車両用開発情報管理方法であって、
電子帳票を、上記車両の不具合を発見した発見部門を含む、該不具合に関係する関係部門の間で回覧する回覧ルートを設定する回覧ルート設定工程と、
上記発見部門にて上記電子帳票に上記不具合情報が入力されて申請されたときに、該電子帳票を上記回覧ルートに従って回覧する回覧工程と、
上記発見部門にて上記電子帳票に上記不具合情報が入力されて申請されたときに、上記回覧状態に拘わらず、上記各関係部門にて、上記電子帳票を閲覧可能としかつ該電子帳票に上記不具合の対策案に関係する関係情報を入力可能とする帳票閲覧入力可能工程とを備えたことを特徴とする車両用開発情報管理方法。
【発明の詳細な説明】
【技術分野】
【０００１】
本発明は、車両用開発情報管理システム、車両用開発情報管理プログラム、及び車両用開発情報管理方法に関するものである。
【背景技術】
【０００２】
従来から、車両の不具合情報を管理する車両の不具合情報管理装置が知られている（例えば、特許文献１）。また、以前から、業務に関連する情報の流れを管理する業務管理装置が既知である（例えば、特許文献２）。
【特許文献１】特開２００４−１１０５５４号公報
【特許文献２】特開２００３−３１６９３４号公報
【発明の開示】
【発明が解決しようとする課題】
【０００３】
ここで、上記業務管理装置を用いて、車両の不具合情報の流れを管理してその不具合の対策案を立案することを考える。この業務管理システムでは、あるメンバへと流れてきた車両の不具合情報を含む情報がそのメンバにて承認されたときに、その情報を次のメンバへと流すようになっている。このため、その不具合情報を早期にメンバ間で共有することができず、各メンバでその不具合の対策案を早期に立案することができない。
【０００４】
本発明は、かかる点に鑑みてなされたものであり、その目的とするところは、車両の不具合情報を部門間で早期に共有し、各部門でその不具合の対策案を早期に立案することにある。
【課題を解決するための手段】
【０００５】
第１の発明は、車両の開発情報の流れをコンピュータで管理する車両用開発情報管理システムであって、電子帳票を、上記車両の不具合を発見した発見部門を含む、該不具合に関係する関係部門の間で回覧する回覧ルートを設定する回覧ルート設定手段と、上記発見部門にて上記電子帳票に上記不具合情報が入力されて申請されたときに、該電子帳票を上記回覧ルートに従って回覧する回覧手段と、上記発見部門にて上記電子帳票に上記不具合情報が入力されて申請されたときに、上記回覧状態に拘わらず、上記各関係部門にて、上記電子帳票を閲覧可能としかつ該電子帳票に上記不具合の対策案に関係する関係情報を入力可能とする帳票閲覧入力可能手段とを備えたことを特徴とするものである。
【０００６】
これにより、発見部門にて電子帳票に車両の不具合情報が入力されて申請されたときに、電子帳票の回覧状態に拘わらず、各関係部門にて、電子帳票を閲覧可能としかつ電子帳票にその不具合の対策案に関係する関係情報を入力可能とするので、車両の不具合情報を関係部門間で早期に共有することができ、各関係部門でその不具合の対策案を早期に立案することができる。
【０００７】
第２の発明は、上記第１の発明において、上記回覧手段は、上記回覧ルートに従って上記関係部門へと回覧されてきた電子帳票が該関係部門にて承認されたときに、上記電子帳票を次の関係部門へと回覧するように構成され、上記帳票閲覧入力可能手段は、上記電子帳票が上記関係部門にて承認された後は、該関係部門にて上記電子帳票に上記関係情報を入力不可能とするように構成されていることを特徴とするものである。
【０００８】
これにより、電子帳票が関係部門にて承認された後に、その関係部門にて、電子帳票に関係情報が入力されることを抑制することができる。
【０００９】
第３の発明は、上記第２の発明において、上記不具合情報に基づき、上記関係部門の承認者の数を変更する承認者数変更手段をさらに備えたことを特徴とするものである。
【００１０】
これにより、車両の不具合に応じた承認者の数にすることができる。
【００１１】
第４の発明は、上記第１〜３のいずれか１つの発明において、上記回覧ルート設定手段は、予め設定された複数のルートパターンのうち上記発見部門にて選択されたものを上記回覧ルートとして設定するように構成されていることを特徴とするものである。
【００１２】
これにより、回覧ルートを簡単に設定することができる。
【００１３】
第５の発明は、上記第４の発明において、上記複数のルートパターンは、上記電子帳票を、上記関係部門としての、上記発見部門と、上記不具合情報を確認する責任部門と、上記不具合の対策案を立てる対策部門と、該対策案を確認する、上記発見部門及び上記責任部門からなる確認部門の間でその順に回覧するルートパターンを含むことを特徴とするものである。
【００１４】
これにより、状況に応じた回覧ルートを簡単に設定することができる。
【００１５】
第６の発明は、上記第４又は５の発明において、上記複数のルートパターンは、上記電子帳票を、上記関係部門としての、上記発見部門と、上記不具合の対策案を立てる、上記発見部門からなる対策部門と、該対策案を確認する、上記発見部門からなる確認部門の間でその順に回覧するルートパターンを含むことを特徴とするものである。
【００１６】
これにより、状況に応じた回覧ルートを簡単に設定することができる。
【００１７】
第７の発明は、上記第１〜３のいずれか１つの発明において、上記回覧ルート設定手段は、上記不具合情報に基づき、上記回覧ルートを設定するように構成されていることを特徴とするものである。
【００１８】
これにより、車両の不具合に応じた回覧ルートを簡単に設定することができる。
【００１９】
第８の発明は、車両の開発情報の流れを管理するコンピュータを制御するための車両用開発情報管理プログラムであって、上記コンピュータに対して、電子帳票を、上記車両の不具合を発見した発見部門を含む、該不具合に関係する関係部門の間で回覧する回覧ルートを設定する回覧ルート設定処理と、上記発見部門にて上記電子帳票に上記不具合情報が入力されて申請されたときに、該電子帳票を上記回覧ルートに従って回覧する回覧処理と、上記発見部門にて上記電子帳票に上記不具合情報が入力されて申請されたときに、上記回覧状態に拘わらず、上記各関係部門にて、上記電子帳票を閲覧可能としかつ該電子帳票に上記不具合の対策案に関係する関係情報を入力可能とする帳票閲覧入力可能処理とを実行させることを特徴とするものである。
【００２０】
第９の発明は、車両の開発情報の流れをコンピュータで管理する車両用開発情報管理方法であって、電子帳票を、上記車両の不具合を発見した発見部門を含む、該不具合に関係する関係部門の間で回覧する回覧ルートを設定する回覧ルート設定工程と、上記発見部門にて上記電子帳票に上記不具合情報が入力されて申請されたときに、該電子帳票を上記回覧ルートに従って回覧する回覧工程と、上記発見部門にて上記電子帳票に上記不具合情報が入力されて申請されたときに、上記回覧状態に拘わらず、上記各関係部門にて、上記電子帳票を閲覧可能としかつ該電子帳票に上記不具合の対策案に関係する関係情報を入力可能とする帳票閲覧入力可能工程とを備えたことを特徴とするものである。
【発明の効果】
【００２１】
本発明によれば、発見部門にて電子帳票に車両の不具合情報が入力されて申請されたときに、電子帳票の回覧状態に拘わらず、各関係部門にて、電子帳票を閲覧可能としかつ電子帳票にその不具合の対策案に関係する関係情報を入力可能とするので、車両の不具合情報を関係部門間で早期に共有することができ、各関係部門でその不具合の対策案を早期に立案することができる。
【発明を実施するための最良の形態】
【００２２】
以下、本発明の実施形態を図面に基づいて詳細に説明する。
【００２３】
（実施形態１）
図１は、本発明の実施形態に係る車両用開発情報管理システム１のブロック図である。この車両用開発情報管理システム１は、データベース２、管理サーバ３（回覧ルート設定手段、帳票閲覧入力可能手段、回覧手段、承認者数変更手段に相当）、及び複数の端末４を備えている。データベース２及び管理サーバ３がコンピュータを構成している。管理サーバ３は、複数の端末４とネットワーク５を介してつながっている。
【００２４】
データベース２は、電子帳票のフォーマットを記憶している。管理サーバ３は、車両の開発情報の流れを管理するためのプログラムを有している。具体的には、このプログラムは、管理サーバ３に対して、電子帳票を、車両の不具合を発見した発見部門を含む、その不具合に関係する関係部門（例えば、発見部門、責任部門、対策部門、及び確認部門）の端末４間で回覧する回覧ルートを設定する回覧ルート設定処理と、発見部門端末４にて電子帳票に不具合情報が入力されて申請されたときに、その電子帳票を回覧ルートに従って回覧する回覧処理と、発見部門端末４にて電子帳票にその不具合情報が入力されて申請されたときに、電子帳票の回覧状態に拘わらず、各関係部門端末４にて、その電子帳票を閲覧可能としかつその電子帳票にその不具合の対策案に関係する関係情報（例えば、その不具合の対策案）を入力可能とする帳票閲覧入力可能処理とを実行させる。
【００２５】
−電子帳票の回覧を行う際の作業手順−
以下、図２のフローチャートを参照しながら、電子帳票の回覧を本車両用開発情報管理システム１を用いて行う際の作業手順について説明する。
【００２６】
（１）ステップＳ１
まず、車両部品の不具合を発見した発見部門の担当者が発見部門の担当者端末４を起動させると、そのディスプレイにログイン画面（図示せず）が表示される。このログイン画面にユーザーＩＤとパスワードを入力してログインすると、ディスプレイには図３に示すメインメニュー画面が表示される。このメインメニュー画面中のイシュー管理ボタン１１をクリックすると、ディスプレイにはプルダウンリストが表示され、そのプルダウンリスト中の新規ボタンをクリックすると、ディスプレイには図４に示すイシュー作成画面が表示される。なお、後述するメインメニュー画面のディスプレイへの表示方法も、このメインメニュー画面のディスプレイへの表示方法と同じなので、以下の説明では、その説明を省略する。
【００２７】
イシュー作成画面は、Group欄２１と新規作成チェックボックス２２と複製作成チェックボックス２３と「Issue No.」欄２４とルートパターン欄２５と作成ボタン２６とを有している。
【００２８】
Group欄２１のプルダウンリストから自分の所属部門を選択する。また、電子帳票を一から作成する場合は、新規作成チェックボックス２２を選択する。一方、電子帳票を、発行済みの電子帳票をコピーして作成する場合は、複製作成チェックボックス２３を選択し、「Issue No.」欄２４にその発行済みの電子帳票の番号を入力する。さらに、ルートパターン欄２５のプルダウンリストからルートパターンを選択すると（ステップＳ１）、管理サーバ３は、その選択したルートパターンを回覧ルートとして設定する。これにより、状況に応じた回覧ルートを簡単に設定することができる。
【００２９】
ルートパターンとしては、パターン１、パターン２、パターン３、及びパターン４の４つのパターンがある。パターン１は、電子帳票を、上記関係部門としての、発見部門（Ａ部門）と、車両部品の不具合情報を確認する責任部門（Ｂ部門）と、その不具合の対策案を立てる対策部門（Ｃ部門）と、その対策案を確認する、発見部門からなる確認部門（Ａ部門）の端末４間でその順に回覧するパターンである。パターン２は、電子帳票を、関係部門としての、発見部門（Ａ部門）と、責任部門（Ｂ部門）と、対策部門（Ｃ部門）と、発見部門及び責任部門からなる確認部門（Ａ部門及びＢ部門）の端末４間でその順に回覧するパターンである。パターン３は、電子帳票を、関係部門としての、発見部門（Ａ部門）と、対策部門（Ｃ部門）と、発見部門からなる確認部門（Ａ部門）の端末４間でその順に回覧するパターンである。パターン４は、電子帳票を、関係部門としての、発見部門（Ａ部門）と、発見部門からなる対策部門（Ａ部門）と、発見部門からなる確認部門（Ａ部門）の端末４間でその順に回覧するパターンである。なお、ルートパターンの数や各ルートパターンを構成する部門などは任意である。また、責任部門、対策部門、及び確認部門を構成する部門の数は任意であり、単数でも複数でも良い。
【００３０】
ここで、パターン１を選択するのは、例えば、製造部門が車両部品の不具合を発見した場合である。パターン２を選択するのは、例えば、実験部門や検査部門が車両部品の不具合を発見した場合や、車両の製造部門が車両部品の不具合を発見し、車両部品の製造部門を責任部門として設定したい場合である。パターン３を選択するのは、例えば、実験部門が車両部品の不具合を発見した場合である。パターン４を選択するのは、例えば、設計部門が車両部品の不具合を自己発見した場合である。
【００３１】
本実施形態では、図４に示すように、発見部門の担当者は、イシュー作成画面で、新規作成チェックボックス２２、及びパターン１を選択したものとする。
【００３２】
（２）ステップＳ２及びステップＳ３
イシュー作成画面に必要事項を入力した後、発見部門の担当者がイシュー作成画面中の作成ボタン２６をクリックすると、管理サーバ３は、選択されたルートパターン（本実施形態ではパターン１）に対応する電子帳票のフォーマットをデータベース２から読み出し（ステップＳ２）、発見部門の担当者端末４のディスプレイに電子帳票画面を表示する。
【００３３】
電子帳票画面は、図５に示す宛先選択リンク３１と図５に示す発見部門欄４１と図６に示す責任部門欄６１と図７に示す対策部門欄７１と図８に示す確認部門欄８１とを有している。発見部門欄４１には、発見部門の担当者が車両部品の不具合情報を書き込む（ステップＳ３）。なお、責任部門欄６１、対策部門欄７１、及び確認部門欄８１については後述する。また、パターン３及びパターン４に対応する電子帳票のフォーマットには、責任部門欄６１はない。
【００３４】
発見部門欄４１は、発見リンク４２と責任リンク４３と対策・確認リンク４４と「Issue No.」欄４５と発行日欄４６と評価車両欄４７と不具合欄４８と対策要求欄４９と一時保存ボタン５０と保存ボタン５１と申請ボタン５２と削除ボタン５３と承認ボタン５４と却下ボタン５５とを含む。
【００３５】
発見リンク４２、責任リンク４３、又は対策・確認リンク４４をクリックすると、そのクリックしたリンクに対応する欄にジャンプする。なお、後述する発見リンク、責任リンク、及び対策・確認リンクも、これらの発見リンク４２、責任リンク４３、及び対策・確認リンク４４と同じ働きをするので、以下の説明では、それらの説明を省略する。
【００３６】
「Issue No.」欄４５には、本電子帳票の番号が入力される。発行日欄４６には、本電子帳票の発行日が入力される。評価車両欄４７には、車両部品に不具合が見つかった車両が入力される。図５に示す評価車両欄４７には、「テスト車両１」と入力されている。
【００３７】
不具合欄４８は、不具合部品欄４８ａと不具合ランク欄４８ｂと件名欄４８ｃと不具合内容欄４８ｄと補足資料欄４８ｅとを含有する。
【００３８】
不具合部品欄４８ａには、不具合が見つかった車両部品の部品番号及び部品名が入力される。
【００３９】
発見部門が、例えば実験部門や設計部門である場合は、不具合ランク欄４８ｂの品質欄のプルダウンリストから品質ランクを選択する。この品質ランクとしては、「Ａ」「Ｂ」「Ｃ」がある。「Ａ」が一番品質ランクが高く、「Ｃ」が一番品質ランクが低い。一方、発見部門が、例えば製造部門や検査部門である場合は、不具合ランク欄４８ｂの生産性欄のプルダウンリストから生産性ランクを選択する。
【００４０】
件名欄４８ｃには、件名が入力される。図５に示す件名欄４８ｃには、「Ａ部品を組付けることができない。」と入力されている。不具合内容欄４８ｄには、車両部品の不具合内容が入力される。図５に示す不具合内容欄４８ｄには、「Ａ部品を組付けることができない。」と入力されている。補足資料欄４８ｅには、車両部品の不具合内容を補足する補足資料データが添付可能になっている。この添付は任意である。
【００４１】
対策要求欄４９は、対策提案欄４９ａを含有する。この対策提案欄４９ａには、車両部品の不具合の対策の提案が入力可能になっている。この入力は任意である。図５に示す対策提案欄４９ａには、「Ａ部品の形状を変更してください。」と入力されている。
【００４２】
一時保存ボタン５０をクリックすると、発見部門欄４１の入力内容が一時的に保存される。なお、後述する一時保存ボタンも、この一時保存ボタン５０と同じ働きをするので、以下の説明では、それらの説明を省略する。削除ボタン５３をクリックすると、本電子帳票が削除される。なお、保存ボタン５１、申請ボタン５２、承認ボタン５４、及び却下ボタン５５については後述する。
【００４３】
図５に示す宛先選択リンク３１をクリックすると、ディスプレイには図９に示す「Role Edit」画面が表示される。この「Role Edit」画面には、発見部門の担当者が部門情報を書き込む（ステップＳ３）。「Role Edit」画面は、保存ボタン９１と発見部門欄９２と責任部門欄９３と対策部門欄９４と確認部門欄９５とを有している。
【００４４】
発見部門欄９２は、発見リンク９２ａと責任リンク９２ｂと対策・確認リンク９２ｃとGroup欄９２ｄと担当者欄９２ｅと審査者欄９２ｆと承認者欄９２ｇとを含む。Group欄９２ｄには発見部門を構成する部門名が、担当者欄９２ｅには発見部門を構成する部門の担当者名が、自動的に表示される。また、発見部門の担当者が審査者欄９２ｆのSelectリンクをクリックすると、ディスプレイには発見部門を構成する部門の所属者名が表示され、その所属者名から一人の名前を選択して決定ボタン（図示せず）をクリックすると、審査者欄９２ｆにはその名前が審査者名として表示される。承認者欄９２ｇの承認者の設定も、審査者欄９２ｆと同様に行われる。
【００４５】
責任部門欄９３は、発見リンク９３ａと責任リンク９３ｂと対策・確認リンク９３ｃとGroup欄９３ｄと担当者欄９３ｅと審査者欄９３ｆと承認者欄９３ｇとを含む。Group欄９３ｄの部門、担当者欄９３ｅの担当者、審査者欄９３ｆの審査者、及び承認者欄９３ｇの承認者の設定も、発見部門欄９２の審査者欄９２ｆと同様に行われる。
【００４６】
対策部門欄９４は、発見リンク９４ａと責任リンク９４ｂと対策・確認リンク９４ｃとGroup欄９４ｄと担当者欄９４ｅと審査者欄９４ｆと承認者欄９４ｇとを含む。Group欄９４ｄの部門、担当者欄９４ｅの担当者、審査者欄９４ｆの審査者、及び承認者欄９４ｇの承認者の設定も、発見部門欄９２の審査者欄９２ｆと同様に行われる。また、上記品質ランクとして「Ｂ」「Ｃ」を選択した場合は、承認者欄９４ｇに入力すべき承認者の数は１人であるが、「Ａ」を選択した場合は、承認者欄９４ｇに入力すべき承認者の数が変更されて２人となる。この入力はチェックされる。これにより、車両部品の不具合に応じた承認者の数にすることができる。
【００４７】
確認部門欄９５は、Group欄９５ａと担当者欄９５ｂと審査者欄９５ｃと承認者欄９５ｄとを含む。Group欄９５ａには発見部門を構成する部門名が、担当者欄９５ｂには発見部門を構成する部門の担当者名が、自動的に表示される。審査者欄９５ｃの審査者及び承認者欄９５ｄの承認者の設定は、発見部門欄９２の審査者欄９２ｆと同様に行われる。また、品質ランクとして「Ｂ」「Ｃ」を選択した場合は、承認者欄９５ｄに承認者を１人だけ入力すれば良いが、「Ａ」を選択した場合は、承認者欄９５ｄに承認者を２人入力することが要求される。この入力はチェックされる。これにより、車両部品の不具合に応じた承認者の数にすることができる。
【００４８】
「Role Edit」画面中の保存ボタン９１をクリックすると、その書込み内容が保存されて電子帳票画面へと戻る。
【００４９】
なお、ルートパターンとしてパターン２を選択した場合は、確認部門欄９５のGroup欄９５ａには発見部門及び責任部門を構成する部門名が、担当者欄９５ｂには発見部門及び責任部門を構成する部門の担当者名が、自動的に表示される。ルートパターンとしてパターン４を選択した場合は、対策部門欄９４及び確認部門欄９５のGroup欄９４ｄ，９５ａには発見部門を構成する部門名が、担当者欄９４ｅ，９５ｂには発見部門を構成する部門の担当者名が、自動的に表示される。
【００５０】
また、各部門の審査者及び承認者としてその部門の担当者を設定しても良いが、例えば、車両部品の不具合の重要性が高い場合は、その担当者の上司を設定した方が望ましい。さらに、部門名、担当者名、審査者名、及び承認者名は、例えば、各欄に直接入力するようにしても良い。加えて、責任部門及び対策部門の担当者、審査者、及び承認者が不明の場合は、責任部門及び対策部門を構成する部門だけ設定すれば良い。
【００５１】
（３）ステップＳ４及びステップＳ５
電子帳票画面及び「Role Edit」画面に必要事項を入力した後、発見部門の担当者が電子帳票画面の発見部門欄４１の申請ボタン５２をクリックすると、管理サーバ３は、車両部品の不具合情報、及び部門情報をデータベース２に保存するとともに（ステップＳ４）、電子帳票を、選択されたルートパターン（本実施形態ではパターン１）に含まれる部門端末４に配信し（ステップＳ５）、各部門の担当者端末４にて、電子帳票を見ることができかつその自部門の欄に書き込むことができるようにする。そして、管理サーバ３は、ルートパターンに従って部門端末４へと回覧されてきた電子帳票がその部門端末４にて承認された後は、その部門端末４にて、電子帳票を閲覧することができずかつ電子帳票の自部門の欄に書き込むことができないようにする。これにより、電子帳票が部門にて承認された後に、その部門にて、電子帳票の自部門の欄に書き込まれることを抑制することができる。
【００５２】
（４）ステップＳ６及びステップＳ１０
発見部門の担当者が発見部門の担当者端末４のディスプレイのメインメニュー画面中の事前検討可能案件リンク１２をクリックすると、そのディスプレイには、ルートパターンに従って回覧されてくる前に閲覧可能でかつ自部門の欄（つまり、発見部門欄４１（図５参照））に書込み可能な電子帳票が一覧表示される。この発見部門欄４１については上述した。そして、その一覧から電子帳票を選択すると、ディスプレイにはその選択した電子帳票画面が表示される。発見部門の担当者は、その電子帳票画面の発見部門欄４１に必要事項を入力することができる。その入力後、保存ボタン５１をクリックすると、その発見部門欄４１の書込み内容がデータベース２に保存される。
【００５３】
（５）ステップＳ７及びステップＳ１０
責任部門の担当者が責任部門の担当者端末４のディスプレイのメインメニュー画面中の事前検討可能案件リンク１２をクリックすると、そのディスプレイには、ルートパターンに従って回覧されてくる前に閲覧可能でかつ自部門の欄（つまり、責任部門欄６１（図６参照））に書込み可能な電子帳票が一覧表示される。その一覧から電子帳票を選択すると、ディスプレイにはその選択した電子帳票画面が表示される。責任部門の担当者は、その電子帳票画面の責任部門欄６１に必要事項を入力することができる。その入力後、後述する保存ボタン６７をクリックすると、その責任部門欄６１の書込み内容がデータベース２に保存される。
【００５４】
責任部門欄６１は、発見リンク６２と責任リンク６３と対策・確認リンク６４とコメント欄６５と一時保存ボタン６６と保存ボタン６７と承認ボタン６８と却下ボタン６９とを含む。コメント欄６５には、車両部品の不具合の対策の提案に対するコメントなどが入力される。図６に示すコメント欄６５には、「発見部門の対策提案に同意します。」と入力されている。なお、承認ボタン６８及び却下ボタン６９については後述する。
【００５５】
（６）ステップＳ８及びステップＳ１０
対策部門の担当者が対策部門の担当者端末４のディスプレイのメインメニュー画面中の事前検討可能案件リンク１２をクリックすると、そのディスプレイには、ルートパターンに従って回覧されてくる前に閲覧可能でかつ自部門の欄（つまり、対策部門欄７１（図７参照））に書込み可能な電子帳票が一覧表示される。その一覧から電子帳票を選択すると、ディスプレイにはその選択した電子帳票画面が表示される。対策部門の担当者は、その電子帳票画面の対策部門欄７１に必要事項を入力することができる。その入力後、後述する保存ボタン７５ｆ，７６ｆをクリックすると、その対策部門欄７１の書込み内容がデータベース２に保存される。
【００５６】
対策部門欄７１は、発見リンク７２と責任リンク７３と対策・確認リンク７４と対策案欄７５と対策決定欄７６とを含む。
【００５７】
対策案欄７５は、対策案欄７５ａと代表部品欄７５ｂと補足資料欄７５ｃと対策予定欄７５ｄと一時保存ボタン７５ｅと保存ボタン７５ｆと評価依頼ボタン７５ｇとを含有する。
【００５８】
対策案欄７５ａには、車両部品の不具合の対策案が入力される。図７に示す対策案欄７５ａには、「Ａ部品の形状を変更します。」と入力されている。代表部品欄７５ｂには、不具合が見つかった車両部品の代表的なものの部品番号及び部品名が入力される。補足資料欄７５ｃには、車両部品の不具合の対策案を補足する補足資料データが添付可能になっている。この添付は任意である。対策予定欄７５ｄには、対策予定が入力される。評価依頼ボタン７５ｇをクリックすると、電子帳票が確認部門の担当者端末４へと回覧される。
【００５９】
対策決定欄７６は、「対策しない」チェックボックス７６ａと理由欄７６ｂと「対策する」チェックボックス７６ｃと対策予定欄７６ｄと一時保存ボタン７６ｅと保存ボタン７６ｆと承認ボタン７６ｇと却下ボタン７６ｈとを含有する。
【００６０】
車両部品の不具合に対して対策をとらない場合は、「対策しない」チェックボックス７６ａを選択し、理由欄７６ｂにその理由を入力する。一方、車両部品の不具合に対して対策をとる場合は、「対策する」チェックボックス７６ｃを選択し、対策予定欄７６ｄに対策予定を入力する。図７に示す対策決定欄７６では、「対策する」チェックボックス７６ａが選択されている。なお、承認ボタン７６ｇ及び却下ボタン７６ｈについては後述する。
【００６１】
（７）ステップＳ９及びステップＳ１０
確認部門の担当者が確認部門の担当者端末４のディスプレイのメインメニュー画面中の事前検討可能案件リンク１２をクリックすると、そのディスプレイには、ルートパターンに従って回覧されてくる前に閲覧可能でかつ自部門の欄（つまり、確認部門欄８１（図８参照））に書込み可能な電子帳票、及びルートパターンに従って回覧されてくる前に対策部門欄７１の評価依頼された電子帳票が一覧表示される。その一覧から電子帳票を選択すると、ディスプレイにはその選択した電子帳票画面が表示される。確認部門の担当者は、その電子帳票画面の確認部門欄８１に必要事項を入力することができる。その入力後、後述する保存ボタン８５ｃ，８６ｃ，１０３をクリックすると、その確認部門欄８１の書込み内容がデータベース２に保存される。
【００６２】
確認部門欄８１は、発見リンク８２と責任リンク８３と対策・確認リンク８４と「対策案の評価」欄８５と「対策指示内容の評価」欄８６とを含む。
【００６３】
「対策案の評価」欄８５は、コメント欄８５ａと保留ボタン８５ｂと保存ボタン８５ｃと合意ボタン８５ｄと不合意ボタン８５ｅとを含有する。コメント欄８５ａには、評価依頼された電子帳票の対策部門欄７１に入力された、車両部品の不具合の対策案に対するコメントが入力される。保留ボタン８５ｂをクリックすると、「対策案の評価」欄８５の書込み内容が一時的に保存される。評価依頼された電子帳票の対策部門欄７１に入力された、車両部品の不具合の対策案に合意する場合は、合意ボタン８５ｄをクリックする。すると、その電子帳票は、メインメニュー画面中の事前検討可能案件リンク１２をクリックした際、「対策案合意済み」のものとして表示される。一方、評価依頼された電子帳票の対策部門欄７１に入力された、車両部品の不具合の対策案に合意しない場合は、不合意ボタン８５ｅをクリックする。すると、その電子帳票は、メインメニュー画面中の事前検討可能案件リンク１２をクリックした際、「対策案提示済み／合意待ち」のものとして表示される。
【００６４】
「対策指示内容の評価欄」８６は、コメント欄８６ａと一時保存ボタン８６ｂと保存ボタン８６ｃと「対策品で最終確認」ボタン８６ｄと承認・物確認不要ボタン８６ｅと却下ボタン８６ｆとを含有する。コメント欄８６ａには、車両部品の不具合の対策案に対するコメントが入力される。図８に示すコメント欄８６ａには、「対策部門の対策案に同意します。」と入力されている。また、車両部品の不具合の対策案を承認するが、不具合対策部品（現車）を確認したい場合は、「対策品で最終確認」ボタン８６ｄをクリックする。すると、ディスプレイには、図１０に示す対策品確認欄画面が表示される。一方、不具合対策部品（現車）を確認せず、車両部品の不具合の対策案を承認する場合は、承認・物確認不要ボタン８６ｅをクリックする。なお、却下ボタン８６ｆについては後述する。
【００６５】
対策品確認欄画面は、コメント欄１０１と一時保存ボタン１０２と保存ボタン１０３と承認ボタン１０４と却下ボタン１０５とを含有する。コメント欄１０１には、不具合対策部品（現車）の確認結果が入力される。なお、承認ボタン１０４及び却下ボタン１０５については後述する。
【００６６】
（８）電子帳票の回覧の概要（ステップＳ１１〜ステップＳ２２）
電子帳票画面及び「Role Edit」画面に必要事項を入力した後、発見部門の担当者が電子帳票画面の発見部門欄４１の申請ボタン５２をクリックすると、管理サーバ３は、車両部品の不具合情報が入力された電子帳票をルートパターンに従って回覧する。本実施形態では、ルートパターンとしてパターン１を選択したので、電子帳票は、発見部門の担当者端末４、審査者端末４、承認者端末４、責任部門の担当者端末４、審査者端末４、承認者端末４、対策部門の担当者端末４、審査者端末４、承認者端末４、確認部門の担当者端末４、審査者端末４、承認者端末４の順に流れていく。そして、管理サーバ３は、ルートパターンに従って部門端末４へと回覧されてきた電子帳票が、その部門端末４にて自部門の欄への書込みが完了しかつ承認されたときに、その承認結果をデータベース２に保存するとともに、電子帳票を次の部門端末４へと回覧する。つまり、ルートパターンは、言い換えると、電子帳票の承認ルートである。なお、ルートパターンに従って回覧される電子帳票は、最新の状態の電子帳票である。つまり、上述したステップＳ６〜ステップＳ１０で電子帳票に書込みがあり、これが保存された場合は、車両部品の不具合情報に加えて、その書込みも入力された電子帳票が回覧される。また、電子帳票の自部門の欄への書込みが完了したか否かは、電子帳票の自部門の欄に必要事項が入力された否かで判定される。
【００６７】
なお、上述したように、責任部門及び対策部門の担当者、審査者、及び承認者が不明で、責任部門及び対策部門を構成する部門だけ設定した場合は、責任部門及び対策部門の所属者がメインメニュー画面中の部門受付案件リンク１３をクリックすると、ディスプレイには、ルートパターンに従って回覧されてきた電子帳票が一覧表示される。その一覧から電子帳票を選択すると、ディスプレイにはその選択した電子帳票画面が表示される。そして、その所属者が、その電子帳票画面の書込み内容を確認して自分が担当者となるべきと判断した場合は、その電子帳票の自部門の欄に必要事項を入力する。
【００６８】
（９）ステップＳ１１〜ステップＳ１３
発見部門の担当者が発見部門の担当者端末４のディスプレイのメインメニュー画面中の処理待ち案件リンク１４をクリックすると、そのディスプレイには、ルートパターンに従って回覧されてきた電子帳票が一覧表示される。その一覧から電子帳票を選択すると、ディスプレイにはその選択した電子帳票画面が表示される。発見部門の担当者は、その電子帳票画面の発見部門欄４１（図５参照）に必要事項を入力することができる。この発見部門欄４１については上述した。そして、発見部門欄４１への書込みを完了し（ステップＳ１１）、承認ボタン５４をクリックすると（ステップＳ１２）、その承認結果がデータベース２に保存されるとともに（ステップＳ１３）、電子帳票が発見部門の審査者端末４へと回覧される。
【００６９】
発見部門の審査者が発見部門の審査者端末４のディスプレイのメインメニュー画面中の処理待ち案件リンク１４をクリックすると、そのディスプレイには、ルートパターンに従って回覧されてきた電子帳票が一覧表示される。その一覧から電子帳票を選択すると、ディスプレイにはその選択した電子帳票画面が表示される。そして、その発見部門欄４１の書込み内容を承認する場合は、承認ボタン５４をクリックする（ステップＳ１２）。すると、その承認結果がデータベース２に保存されるとともに（ステップＳ１３）、電子帳票が発見部門の承認者端末４へと回覧される。一方、発見部門欄４１の書込み内容を否認する場合は、却下ボタン５５をクリックする（ステップＳ１２）。すると、電子帳票が発見部門の担当者端末４へと差し戻される。
【００７０】
発見部門の承認者が発見部門の審査者端末４のディスプレイのメインメニュー画面中の処理待ち案件リンク１４をクリックすると、そのディスプレイには、ルートパターンに従って回覧されてきた電子帳票が一覧表示される。その一覧から電子帳票を選択すると、ディスプレイにはその選択した電子帳票画面が表示される。そして、その発見部門欄４１の書込み内容を承認する場合は、承認ボタン５４をクリックする（ステップＳ１２）。すると、その承認結果がデータベース２に保存されるとともに（ステップＳ１３）、電子帳票が責任部門の担当者端末４へと回覧される。一方、発見部門欄４１の書込み内容を否認する場合は、却下ボタン５５をクリックする（ステップＳ１２）。すると、電子帳票が発見部門の審査者端末４へと差し戻される。
【００７１】
（１０）ステップＳ１４〜ステップＳ１６
責任部門の担当者が責任部門の担当者端末４のディスプレイのメインメニュー画面中の処理待ち案件リンク１４をクリックすると、そのディスプレイには、ルートパターンに従って回覧されてきた電子帳票が一覧表示される。その一覧から電子帳票を選択すると、ディスプレイにはその選択した電子帳票画面が表示される。責任部門の担当者は、その電子帳票画面の責任部門欄６１（図６参照）に必要事項を入力することができる。この責任部門欄６１については上述した。そして、責任部門欄６１への書込みを完了し（ステップＳ１４）、発見部門欄４１の書込み内容を承認する場合は、承認ボタン６８をクリックする（ステップＳ１５）。すると、その承認結果がデータベース２に保存されるとともに（ステップＳ１６）、電子帳票が責任部門の審査者端末４へと回覧される。一方、発見部門欄４１の書込み内容を否認する場合は、却下ボタン６９をクリックする（ステップＳ１５）。すると、電子帳票が発見部門の承認者端末４へと差し戻される。
【００７２】
責任部門の審査者が責任部門の審査者端末４のディスプレイのメインメニュー画面中の処理待ち案件リンク１４をクリックすると、そのディスプレイには、ルートパターンに従って回覧されてきた電子帳票が一覧表示される。その一覧から電子帳票を選択すると、ディスプレイにはその選択した電子帳票画面が表示される。そして、その責任部門欄６１の書込み内容などを承認する場合は、承認ボタン６８をクリックする（ステップＳ１５）。すると、その承認結果をデータベース２に保存されるとともに（ステップＳ１６）、電子帳票が責任部門の承認者端末４へと回覧される。一方、責任部門欄６１の書込み内容などを否認する場合は、却下ボタン６９をクリックする（ステップＳ１５）。すると、電子帳票が責任部門の担当者端末４へと差し戻される。
【００７３】
責任部門の承認者が責任部門の承認者端末４のディスプレイのメインメニュー画面中の処理待ち案件リンク１４をクリックすると、そのディスプレイには、ルートパターンに従って回覧されてきた電子帳票が一覧表示される。その一覧から電子帳票を選択すると、ディスプレイにはその選択した電子帳票画面が表示される。そして、その責任部門欄６１の書込み内容などを承認する場合は、承認ボタン６８をクリックする（ステップＳ１５）。すると、その承認結果がデータベース２に保存されるとともに（ステップＳ１６）、電子帳票が対策部門の担当者端末４へと回覧される。一方、責任部門欄６１の書込み内容などを否認する場合は、却下ボタン６９をクリックする（ステップＳ１５）。すると、電子帳票が責任部門の審査者端末４へと差し戻される。
【００７４】
（１１）ステップＳ１７〜ステップＳ１９
対策部門の担当者が対策部門の担当者端末４のディスプレイのメインメニュー画面中の処理待ち案件リンク１４をクリックすると、そのディスプレイには、ルートパターンに従って回覧されてきた電子帳票が一覧表示される。その一覧から電子帳票を選択すると、ディスプレイにはその選択した電子帳票画面が表示される。対策部門の担当者は、その電子帳票画面の対策部門欄７１（図７参照）に必要事項を入力することができる。この対策部門欄７１については上述した。そして、対策部門欄７１への書込みを完了し（ステップＳ１７）、責任部門欄６１の書込み内容などを承認する場合は、承認ボタン７６ｇをクリックする（ステップＳ１８）。すると、その承認結果がデータベース２に保存されるとともに（ステップＳ１９）、電子帳票が対策部門の審査者端末４へと回覧される。一方、責任部門欄６１の書込み内容などを否認する場合は、却下ボタン７６ｈをクリックする（ステップＳ１８）。すると、電子帳票が責任部門の承認者端末４へと差し戻される。
【００７５】
対策部門の審査者が対策部門の審査者端末４のディスプレイのメインメニュー画面中の処理待ち案件リンク１４をクリックすると、そのディスプレイには、ルートパターンに従って回覧されてきた電子帳票が一覧表示される。その一覧から電子帳票を選択すると、ディスプレイにはその選択した電子帳票画面が表示される。そして、その対策部門欄７１の書込み内容などを承認する場合は、承認ボタン７６ｇをクリックする（ステップＳ１８）。すると、その承認結果がデータベース２に保存されるとともに（ステップＳ１９）、電子帳票が対策部門の承認者端末４へと回覧される。一方、対策部門欄７１の書込み内容などを否認する場合は、却下ボタン７６ｈをクリックする（ステップＳ１８）。すると、電子帳票が対策部門の担当者端末４へと差し戻される。
【００７６】
対策部門の承認者が対策部門の承認者端末４のディスプレイのメインメニュー画面中の処理待ち案件リンク１４をクリックすると、そのディスプレイには、ルートパターンに従って回覧されてきた電子帳票が一覧表示される。その一覧から電子帳票を選択すると、ディスプレイにはその選択した電子帳票画面が表示される。そして、その対策部門欄７１の書込み内容などを承認する場合は、承認ボタン７６ｇをクリックする（ステップＳ１８）。すると、その承認結果がデータベース２に保存されるとともに（ステップＳ１９）、電子帳票が確認部門の担当者端末４へと回覧される。一方、対策部門欄７１の書込み内容などを否認する場合は、却下ボタン７６ｈをクリックする（ステップＳ１８）。すると、電子帳票が対策部門の審査者端末４へと差し戻される。
【００７７】
（１２）ステップＳ２０〜ステップＳ２２
確認部門の担当者が確認部門の担当者端末４のディスプレイのメインメニュー画面中の処理待ち案件リンク１４をクリックすると、そのディスプレイには、ルートパターンに従って回覧されてきた電子帳票が一覧表示される。その一覧から電子帳票を選択すると、ディスプレイにはその選択した電子帳票画面が表示される。確認部門の担当者は、その電子帳票画面の確認部門欄８１（図８参照）に必要事項を入力することができる。この確認部門欄８１については上述した。そして、確認部門欄８１への書込みを完了し（ステップＳ２０）、対策部門欄７１の書込み内容などを承認する場合は、承認・物確認不要ボタン８６ｅ又は承認ボタン１０４をクリックする（ステップＳ２１）。すると、その承認結果がデータベース２に保存されるとともに（ステップＳ２２）、電子帳票が確認部門の審査者端末４へと回覧される。一方、対策部門欄７１の書込み内容などを否認する場合は、却下ボタン８６ｆ，１０５をクリックする（ステップＳ２１）。すると、電子帳票が対策部門の承認者端末４へと差し戻される。
【００７８】
確認部門の審査者が確認部門の審査者端末４のディスプレイのメインメニュー画面中の処理待ち案件リンク１４をクリックすると、そのディスプレイには、ルートパターンに従って回覧されてきた電子帳票が一覧表示される。その一覧から電子帳票を選択すると、ディスプレイにはその選択した電子帳票画面が表示される。そして、その確認部門欄８１の書込み内容などを承認する場合は、承認・物確認不要ボタン８６ｅ又は承認ボタン１０４をクリックする（ステップＳ２１）。すると、その承認結果がデータベース２に保存されるとともに（ステップＳ２２）、電子帳票が確認部門の承認者端末４へと回覧される。一方、確認部門欄８１の書込み内容などを否認する場合は、却下ボタン８６ｆ，１０５をクリックする（ステップＳ２１）。すると、電子帳票が確認部門の担当者端末４へと差し戻される。
【００７９】
確認部門の承認者が確認部門の承認者端末４のディスプレイのメインメニュー画面中の処理待ち案件リンク１４をクリックすると、そのディスプレイには、ルートパターンに従って回覧されてきた電子帳票が一覧表示される。その一覧から電子帳票を選択すると、ディスプレイにはその選択した電子帳票画面が表示される。そして、その確認部門欄８１の書込み内容などを承認する場合は、承認・物確認不要ボタン８６ｅ又は承認ボタン１０４をクリックする（ステップＳ２１）。すると、その承認結果がデータベース２に保存されるとともに（ステップＳ２２）、電子帳票の回覧が終了する。一方、確認部門欄８１の書込み内容などを否認する場合は、却下ボタン８６ｆ，１０５をクリックする（ステップＳ２１）。すると、電子帳票が確認部門の審査者端末４へと差し戻される。
【００８０】
−効果−
以上により、本実施形態によれば、発見部門端末４にて電子帳票に車両の不具合情報が入力されて申請されたときに、電子帳票の回覧状態に拘わらず、各関係部門端末４にて、電子帳票を閲覧可能としかつ電子帳票にその不具合の対策案に関係する関係情報を入力可能とするので、車両の不具合情報を関係部門間で早期に共有することができ、各関係部門でその不具合の対策案を早期に立案することができる。
【００８１】
（実施形態２）
本実施形態は、発見部門の担当者端末４にて電子帳票に入力された車両の不具合情報に基づき、回覧ルートを設定するものである。その他の点に関しては、実施形態１とほぼ同様である。
【００８２】
以下、図１１のフローチャートを参照しながら、電子帳票の回覧を本車両用開発情報管理システム１を用いて行う際の作業手順について説明する。
【００８３】
電子帳票画面に車両部品の不具合情報を書き込んだ後（ステップＳ１´）、発見部門の担当者が電子帳票画面の発見部門欄４１（図５参照）の申請ボタン５２をクリックすると、管理サーバ３は、その不具合情報に対しテキストマイニングを実行し（ステップＳ２´）、発見部門を構成する部門、及びそのテキストマイニング結果に基づき、ルートパターン、及びそのルートパターンに含まれる部門を構成する部門を設定する（ステップＳ３´）。これにより、車両の不具合に応じた回覧ルートを簡単に設定することができる。例えば、製造部門が車両部品の不具合を発見した場合であって、電子帳票の発見部門欄４１から「Ａ部品」「組付け」「干渉」というテキストが抽出されたときは、パターン１が回覧ルートとして設定される。ステップＳ４〜ステップＳ２２は、実施形態１のステップＳ４〜ステップＳ２２とほぼ同様である。
【００８４】
（その他の実施形態）
上記各実施形態では、管理サーバ３は、車両の開発情報の流れを管理するためのプログラムを有しているが、本実施形態はこれに限定されるものではない。例えば、ＣＤ−ＲＯＭなどの記憶媒体にそのプログラムが格納されており、その記憶媒体に対応したドライブを用いてそのプログラムを読み出して実行することにより、車両の開発情報の流れを管理するための処理が実現されてもかまわない。
【００８５】
本発明は、実施形態に限定されず、その精神又は主要な特徴から逸脱することなく他の色々な形で実施することができる。
【００８６】
このように、上述の実施形態はあらゆる点で単なる例示に過ぎず、限定的に解釈してはならない。本発明の範囲は請求の範囲によって示すものであって、明細書本文には何ら拘束されない。さらに、請求の範囲の均等範囲に属する変形や変更は、全て本発明の範囲内のものである。
【産業上の利用可能性】
【００８７】
以上説明したように、本発明は、車両の不具合情報を部門間で早期に共有し、各部門でその不具合の対策案を早期に立案するための用途に適用できる。
【図面の簡単な説明】
【００８８】
【図１】本発明の実施形態に係る車両用開発情報管理システムのブロック図である。
【図２】電子帳票の回覧を行う際の作業手順のフローチャートである。
【図３】メインメニュー画面を示す図である。
【図４】イシュー作成画面を示す図である。
【図５】電子帳票画面の宛先選択リンク及び発見部門欄を示す図である。
【図６】電子帳票画面の責任部門欄を示す図である。
【図７】電子帳票画面の対策部門欄を示す図である。
【図８】電子帳票画面の確認部門欄を示す図である。
【図９】「Role Edit」画面を示す図である。
【図１０】対策品確認欄画面を示す図である。
【図１１】電子帳票の回覧を行う際の作業手順のフローチャートである。
【符号の説明】
【００８９】
１  車両用開発情報管理システム
２  データベース（コンピュータ）
３  管理サーバ（回覧ルート設定手段、帳票閲覧入力可能手段、回覧手段、承認者数変更手段、コンピュータ）
４  端末
５  ネットワーク
【図１】
2008152375.tif 000003
【図２】
2008152375.tif 000004
【図３】
2008152375.tif 000005
【図４】
2008152375.tif 000006
【図５】
2008152375.tif 000007
【図６】
2008152375.tif 000008
【図７】
2008152375.tif 000009
【図８】
2008152375.tif 000010
【図９】
2008152375.tif 000011
【図１０】
2008152375.tif 000012
【図１１】
2008152375.tif 000013